(57)【要約】【課題】風によるシートの揺れ動きを減少又は防止させると共に、くせがついたシートをうまく掲げることができる支持具を提供する。【解決手段】所定のシートが有する少なくとも２点の支持部分に係合して該シートを支持するための支持具であって、該支持部分に係合可能な係合部分を有するたわみ部材と、該たわみ部材に固定され所定の被取付物に対して該たわみ部材を支持する支持手段と、を備えてなり、少なくとも２の係合部分は、該２の係合部分同士間の距離が、該２の係合部分が係合する支持部分同士の間の距離よりも長く、該たわみ部材がたわんだ状態において該２の係合部分が該支持部分に係合し該シートに張力を与える係合部分である、支持具である。【選択図】  図５
2004198756.tif 000002
【特許請求の範囲】
【請求項１】
所定のシートが有する少なくとも２点の支持部分に係合して該シートを支持するための支持具であって、
該支持部分に係合可能な係合部分を有するたわみ部材と、該たわみ部材に固定され所定の被取付物に対して該たわみ部材を支持する支持手段と、を備えてなり、
少なくとも２の係合部分は、該２の係合部分同士間の距離が、該２の係合部分が係合する支持部分同士の間の距離よりも長く、該たわみ部材がたわんだ状態において該２の係合部分が該支持部分に係合し該シートに張力を与える係合部分である、支持具。
【請求項２】
前記たわみ部材が、板状の部材によって形成されるものである、請求項１に記載の支持具。
【請求項３】
前記張力を与える係合部分が係合する前記支持部分が、該シートの一縁近傍と他縁近傍とに形成されているものである、請求項１又は２に記載の支持具。
【請求項４】
前記シートが一対の骨部材をさらに有し、前記張力を与える係合部分が係合する前記支持部分が、該骨部材に設けられるものである、請求項１乃至３のいずれかに記載の支持具。
【請求項５】
前記支持部分に係合した前記張力を与える係合部分が、前記張力を与える係合部分同士間の距離を縮めるように前記たわみ部材をたわめることで前記支持部分の係合を解くことができるものである、請求項１乃至４のいずれかに記載の支持具。
【請求項６】
前記支持手段が、前記被取付物が有する載置面に載置されることで前記たわみ部材を支持するものである、請求項１乃至５のいずれかに記載の支持具。
【請求項７】
前記被取付物が磁石に吸着される部分を有し、
前記支持手段が、該吸着される部分に吸着する磁石を有するものである、請求項１乃至６のいずれかに記載の支持具。
【請求項８】
前記支持手段が、前記被取付物が有する面に吸着する吸盤を有するものである、請求項１乃至７のいずれかに記載の支持具。
【請求項９】
前記支持手段が、前記たわみ部材に対して少なくとも２以上の異なる位置に固定可能である、請求項１乃至８のいずれかに記載の支持具。
【請求項１０】
請求項１乃至９のいずれかに記載の前記支持具と、
前記支持具の前記係合部分が前記支持部分に係合した前記シートと、を含んでなる、シート支持体。
【発明の詳細な説明】
【０００１】
【発明の属する技術分野】
本発明は、支持具に関し、より詳細には、所定のシートを支持するための支持具に関する。
なお、本明細書中において「シート」とは、柔軟な薄い物をいい、例えば、布、樹脂製フィルム、紙等を例示することができる。
【０００２】
【従来の技術】
布、樹脂製フィルム、紙等のようなシートは、その表面に種々の内容（例えば、文字、模様、図形等）を表すことができると共に、丸めたり折り畳んだりすることによって容易に可搬できるので、屋内及び屋外を問わず、看板、垂れ幕、広告等に広く用いられてきた。
そして、このようなシートを看板、垂れ幕、広告等として掲げることは、シートの上端部近傍を何らかの被取付物（例えば、建物の壁面等）に固定し重力によってシートが垂下することによって行われることが多い。
また、そのようにしてシートを掲げるための器具も知られている（例えば、特許文献１及び特許文献２参照）。これらの器具は、いずれもシートの上端をクリップによって固定し、重力によりシートを垂下させることで、シートを掲示するものである。
【０００３】
【特許文献１】
意匠登録第１０７４１８４号公報
【特許文献２】
意匠登録第１０７４１８４号の類似意匠登録第１号公報
【０００４】
【発明が解決しようとする課題】
しかしながら、上述したように、シートは柔軟であるため、丸めたり折り畳んだりすることによって容易に可搬できる点は便利であるが、反面、シートの上端部近傍を固定し重力によってシートを垂下させることでシートを掲げると、風（屋内にシートを掲げた場合であれば空調設備によって生じる風や、屋外にシートを掲げた場合であれば自然に生じる風等）によって容易に揺れ動くという問題があった。そして、丸めたり折り畳んだりすることでくせがついたシートをかかる方法によって掲げると、シートがうまく垂下しないという問題もあった。
【０００５】
そこで、本発明では、風によるシートの揺れ動きを減少又は防止させると共に、くせがついたシートをうまく掲げることができる支持具を提供することを目的とする。
【０００６】
【課題を解決するための手段】
本発明の支持具（以下、「本支持具」という。）は、所定のシートが有する少なくとも２点の支持部分に係合して該シートを支持するための支持具であって、該支持部分に係合可能な係合部分を有するたわみ部材と、該たわみ部材に固定され所定の被取付物に対して該たわみ部材を支持する支持手段と、を備えてなり、少なくとも２の係合部分は、該２の係合部分同士間の距離が、該２の係合部分が係合する支持部分同士の間の距離よりも長く、該たわみ部材がたわんだ状態において該２の係合部分が該支持部分に係合し該シートに張力を与える係合部分である、支持具である。
ここに「支持部分同士の間の距離」とは、シートが支持されるべき状態に配置された際（通常、シートが平面に沿って配置された際）における支持部分同士の間の距離をいう。
また、「たわみ部材がたわんだ状態」とは、たわみ部材が弾性変形している状態をいう。
そして、「該２の係合部分同士間の距離が、該２の係合部分が係合する支持部分同士の間の距離よりも長く」の「該２の係合部分同士間の距離」とは、たわみ部材に重力以外の力が作用していないときの２の係合部分同士間の距離をいう。
なお、「所定の被取付物」とは、シートを支持した支持具を十分な強度にて支持することができるものであればいかなるものであってもよく何ら制限されるものではないが、例えば、建物、床、地面、道路、樹木、机、自動車、杭等を一例として例示できる。
【０００７】
このような本支持具においては、支持部分に係合部分が係合する前は、少なくとも２の係合部分同士間の距離が、該２の係合部分が係合する支持部分同士の間の距離よりも長い。そして、たわみ部材をたわませて該２の係合部分を該支持部分に係合させる。この該２の係合部分を該支持部分に係合させた状態では、たわみ部材がたわんだ状態になっており、これによって該２の係合部分が該支持部分を介して該シートに張力を与える。そして、支持手段が、所定の被取付物に対してたわみ部材を支持する。このようにして本支持具は、シートに張力を与えた状態にて所定の被取付物に対しシートを支持するので、風によるシートの揺れ動きを減少又は防止させる（張力が加わった状態の方が揺れ動きを減少等させることができる。）と共に、くせがついたシートをうまく掲げることができる（張力が加わった状態では、くせをのばすことができる。）。
【０００８】
前記たわみ部材が、板状の部材によって形成されるものであってもよい。
こうすることでたわみ部材がたわむ方向が制限されるので（該板状の部材の２の主表面の一方が凹面となり他方が凸面となるようにたわむ。）、本支持具により支持されたシートとたわみ部材との位置関係が不意に変化することを防止でき（例えば、たわみ部材が丸棒であれば、丸棒の軸のまわりのいずれの方向にもたわむことができるので、シートに力が加わると、シートの丸棒のまわりの位置が不意に変化することがある。）、被取付物に対するシートの位置を保つことができる。
【０００９】
前記張力を与える係合部分が係合する前記支持部分が、該シートの一縁近傍と他縁近傍とに形成されているものであってもよい。
こうすることで、前記張力を与える係合部分が該支持部分を介して該シートに与える張力が、シートの一縁近傍と他縁近傍との間に加わるので、一縁近傍と他縁近傍との間の（比較的広い）範囲において風によるシートの揺れ動きを減少又は防止させ、該範囲にくせがついたシートであってもうまく掲げることができる。
なお、該他縁を該一縁に相対する縁とすれば、シートを横断するように張力を与えることができるので（シートの多くの部分に張力を与えることができる。）、とりわけ、風によるシートの揺れ動きを減少又は防止させると共にくせがついたシートであってもうまく掲げることができる。
【００１０】
前記シートが一対の骨部材をさらに有し、前記張力を与える係合部分が係合する前記支持部分が、該骨部材に設けられるものであってもよい。
こうすることで、前記張力を与える係合部分が該支持部分を介して該シートに与える張力が、骨部材を介してシート本体に加わるので、通常柔らかいシート本体が係合部分によって加えられる力によって破れる等の破損を生じにくくなる（張力を与える係合部分が係合する支持部分には、係合部分によって加えられる力により応力が生じ、これによりシートが破れたり裂けたりすることがある。）。
なお、ここにいう「骨部材」とは、シート本体よりも引っ張り強さが大きな材質によって形成された部材をいう。
【００１１】
前記支持部分に係合した前記張力を与える係合部分が、前記張力を与える係合部分同士間の距離を縮めるように前記たわみ部材をたわめることで前記支持部分の係合を解くことができるものであってもよい。
こうすることで前記張力を与える係合部分が該支持部分に加える力（シートに張力を生じる力）によって、前記張力を与える係合部分の前記支持部分への係合を確実にし不意に該係合が解けることを防止することができる。一方、該係合を解きたい場合には、前記張力を与える係合部分同士間の距離を縮めるように前記たわみ部材をたわめることによって容易かつ迅速に解くことができる。
【００１２】
前記支持手段が、前記被取付物が有する載置面に載置されることで前記たわみ部材を支持するものであってもよい。
こうすることで、支持手段が載置面に載置される範囲で本支持具を自由に移動させることができると共に、道路、地面、建物の床、机の上面等のように載置面を構成できるものが多数存在するので、本支持具を容易かつ多様に配設することができる。
【００１３】
前記被取付物が磁石に吸着される部分を有し、前記支持手段が、該吸着される部分に吸着する磁石を有するものであってもよい。
こうすることで、磁石の吸着力により本支持具を被取付物に対して確実に支持させることができると共に、本支持具の被取付物への脱着を迅速かつ容易に行うことができる。
【００１４】
前記支持手段が、前記被取付物が有する面に吸着する吸盤を有するものであってもよい。
こうすることで、吸盤の吸着力により本支持具を被取付物に対して確実に支持させることができると共に、本支持具の被取付物への脱着を迅速かつ容易に行うことができる。
【００１５】
前記支持手段が、前記たわみ部材に対して少なくとも２以上の異なる位置に固定可能であってもよい。
こうすることで、支持手段をたわみ部材に対して異なる位置に固定することができるので、被取付物の形状や状態に合わせてたわみ部材（即ち、シート）の位置を調節することができる。
【００１６】
本支持具は、シートを支持するために広く用いられることができ、本支持具と、本支持具の前記係合部分が前記支持部分に係合した前記シートと、を含んでなる、シート支持体を構成することができる。
また、かかるシート支持体は、様々なものに使用することができ、例えば、商品の名称、外観、価格、宣伝内容等を前記シートの表面に記載していわゆる「ポップ」としても用いることができる。
【００１７】
【発明の実施の形態】
以下、本発明の実施の形態を図面を参照して説明する。しかしながら、これらによって本発明は何ら制限されるものではない。
【００１８】
図１は、一実施形態の本発明の支持具（本支持具）１１を示す斜視図である。
図２（ａ）は図１中の矢印Ａ方向からたわみ部２１を見たところを示しており、図２（ｂ）は図１中の矢印Ｂ方向からたわみ部２１を見たところを示している。
図３は、たわみ部２１と受け具３１と取付ボルト５１、５３との組み付け状態を示す分解図であり、図４はベース板４１を示す斜視図である。図１乃至図４を参照して、本支持具１１について説明する。
本支持具１１は、細長い板状（帯状）のばね鋼によって形成されたたわみ部２１と、たわみ部２１の一端２１ａ側（ここでは下端側）近傍に一端が固定された受け具３１と、受け具３１の他端に取り付けられたベース板４１と、を備えてなる。
【００１９】
たわみ部２１は、主表面が細長い略長方形をした薄い鋼板（ばね鋼製）によって一体に形成されており、その一端２１ａと他端２１ｂとには係合部２３ａ、２３ｂが形成されている（特に、図２を参照されたい。）。なお、係合部２３ａ、２３ｂは、後述するように、シート６１が有するパイプ６５ａ、６５ｂに嵌合できるような形状及び大きさにされている。
そして、たわみ部２１は、一端２１ａ寄りに一対のボルト穴２５ａ、２５ｂ（特に図３を参照されたい）と、ボルト穴２５ａ、２５ｂよりも他端２１ｂに寄った位置（たわみ部２１の一端２１ａと他端２１ｂとの中央からやや一端２１ａ側に寄った位置）に一対のボルト穴２５ｃ、２５ｄと、を有している。なお、これらのボルト穴２５ａ、２５ｂ、２５ｃ、２５ｄは、いずれも後述の取付ボルト５１、５３の軸部を遊嵌すると共に、取付ボルト５１、５３のボルト頭５１ａ、５３ａを通過させない大きさにされている。
【００２０】
受け具３１は、帯状の薄い鋼板を２カ所折り曲げて一体に形成されており、たわみ部２１に沿って取付られる基端部３１ａと、ベース板４１の嵌入隙間４３に貫入される先細り形状の嵌入部３１ｃと、基端部３１ａと嵌入部３１ｃとを連結する連結部３１ｂと、を有している。
基端部３１ａは、取付ボルト５１、５３の軸部外面に形成された雄ねじ部分と螺合する雌ねじが内周に螺刻されたボルト嵌入孔３３ａ、３３ｂ（特に、図３を参照されたい）が穿設されている。受け具３１をたわみ部２１に所定の位置関係（図１に示す位置関係）にて取り付けた際、ボルト嵌入孔３３ａ、３３ｂはボルト穴２５ａ、２５ｂに対応する位置に形成されており、取付ボルト５１をボルト穴２５ａに貫入しボルト嵌入孔３３ａと螺合させ締め付け、さらに取付ボルト５３をボルト穴２５ｂに貫入しボルト嵌入孔３３ｂと螺合させ締め付けることで、たわみ部２１と受け具３１とを固定している。なお、取付ボルト５１、５３のボルト頭５１ａ、５３ａは、手により把持して取付ボルト５１、５３を回転させることができるようになっており、特別な工具等を要することなくたわみ部２１と受け具３１とを組み付けたり分解することができるようになっている。
また、受け具３１は、ベース板４１の嵌入隙間４３に嵌入部３１ｃを貫入した際に、たわみ部２１が所定の位置（高さや角度）に支持されるよう大きさや形状が決定されている。
【００２１】
ベース板４１は、主表面が略長方形のやや厚い鋼板４１ａと、鋼板４１ａの両主表面うち上面に溶接されたみぞ形鋼４１ｂと、によって形成されている。鋼板４１ａの上面とみぞ形鋼４１ｂとの間には、嵌入隙間４３（特に、図４を参照されたい。）が形成されている。嵌入隙間４３は、受け具３１の嵌入部３１ｃの厚みよりもやや大きな高さと、嵌入部３１ｃを貫通させる（嵌入部３１ｃの先端が図１のようにみぞ形鋼４１ｂから突出する）ことができる幅（この幅は、嵌入部３１ｃの最大幅よりも小さい。）と、を有している。このため、嵌入部３１ｃを嵌入隙間４３にできる限り深く貫入すること（図１の状態）で嵌入部３１ｃの幅方向両側がみぞ形鋼４１ｂの内面に当接するので（嵌入部３１ｃの下面は鋼板４１ａの上面に、嵌入部３１ｃの上面はみぞ形鋼４１ｂの内面に、ほぼ当接する。
）、ベース板４１と受け具３１とをしっかり組み付けることができると共に、嵌入部３１ｃを嵌入隙間４３から抜き取ることで両者を容易に分解することができる。
なお、ベース板４１は、後述するように、本支持具１１がシート（図示せず）を安定して支持できるような重さ、大きさ及び形状にされている。
【００２２】
図５は、本支持具１１の使用状態を示す斜視図（図１と同じ位置から見たところを示している。）である。図５においては、シート６１が本支持具１１によって支持されている（即ち、シート支持体が示されている。）。図６はシート６１の一端（ここでは上端）部分の拡大図であり、図７は図６のＤ−Ｄ断面図である（なお、シート６１の他端（ここでは下端）部分も図６及び図７と同様の構造を有している。）。図５乃至図７を参照して、本支持具１１の使用状態について説明する。
なお、図５においては、ベース板４１は建物の床（図示せず）に載置されている。
【００２３】
シート６１は、主表面が略長方形をした樹脂製のフィルムによって構成されたシート本体６３と、シート本体６３の相対する略平行な辺に沿ってシート本体６３に取り付けられた一対の樹脂製のパイプ６５ａ、６５ｂと、を有している。
樹脂製のパイプ６５ａ、６５ｂは、シート本体６３よりも引っ張り強さが大きな樹脂材料によって形成されており、ほぼそれらが沿うように配設されるシート本体６３の辺とほぼ同じ長さを有している（従って、パイプ６５ａ、６５ｂのいずれも、それが配設されるシート本体６３の辺全部にわたって略存在している。
）。なお、パイプ６５ａ、６５ｂのいずれも、シート本体６３の端部が折り返されることで形成された筒に貫入されることでシート本体６３に取り付けられている（特に、図７を参照されたい。）。
そして、パイプ６５ａ、６５ｂが配設されたシート本体６３の辺の略中心部分には、パイプ６５ａ、６５ｂを露出させるように切り欠き部分６７ａ、６７ｂが形成されている。
【００２４】
この切り欠き部分６７ａにおいて露出したパイプ６５ａに前述のたわみ部２１の係合部２３ｂが係合すると共に、切り欠き部分６７ｂにおいて露出したパイプ６５ｂに前述のたわみ部２１の係合部２３ａが係合している。ここに係合部２３ａ、２３ｂ同士間の距離（たわみ部２１に重力以外の力が作用していないときの係合部２３ａ、２３ｂ同士間の距離。即ち、図１に示した状態における係合部２３ａ、２３ｂ同士間の距離）は、係合部２３ａ、２３ｂが係合するパイプ６５ａ（切り欠き部分６７ａにおいて露出した部分）とパイプ６５ｂ（切り欠き部分６７ｂにおいて露出した部分）との間の距離（シート６１が平面に沿って配置された際におけるパイプ６５ａ、６５ｂ同士の間の距離）よりも長く、たわみ部２１がたわんだ状態において係合部２３ａ、２３ｂがパイプ６５ａ（切り欠き部分６７ａにおいて露出した部分）とパイプ６５ｂ（切り欠き部分６７ｂにおいて露出した部分）とに係合している。これによって、係合部２３ａ、２３ｂがシート６１に張力を与えており、シート６１（シート本体６３）がピンと張った状態にて支持されている。
なお、図１の状態の本支持具１１を、図５に示すようにシート６１を支持させるには、係合部２３ａ、２３ｂの一方をパイプ６５ａ、６５ｂの一方に係合させた後、たわみ部２１をたわませるように力を加えて、係合部２３ａ、２３ｂの他方をパイプ６５ａ、６５ｂの他方に係合させるようにすればよい。
【００２５】
以上説明したように、本支持具１１は、シート６１が有する少なくとも２点の支持部分（切り欠き部分６７ａにおいて露出したパイプ６５ａと、切り欠き部分６７ｂにおいて露出したパイプ６５ｂと、が支持部分を構成している。）に係合してシート６１を支持するための支持具であって、該支持部分（切り欠き部分６７ａにおいて露出したパイプ６５ａと、切り欠き部分６７ｂにおいて露出したパイプ６５ｂ）に係合可能な係合部分たる係合部２３ａ、２３ｂを有するたわみ部材たるたわみ部２１と、たわみ部材たるたわみ部２１に固定され所定の被取付物（前述のように、ここでは建物の床）に対してたわみ部材たるたわみ部２１を支持する支持手段（ここでは取付ボルト５１、５３と受け具３１とベース板４１とによって構成されている。）と、を備えてなり、少なくとも２の係合部分たる係合部２３ａ、２３ｂは、該２の係合部分（係合部２３ａ、２３ｂ）同士間の距離が、該２の係合部分（係合部２３ａ、２３ｂ）が係合する支持部分（切り欠き部分６７ａにおいて露出したパイプ６５ａと、切り欠き部分６７ｂにおいて露出したパイプ６５ｂ）同士の間の距離よりも長く、たわみ部材たるたわみ部２１がたわんだ状態において該２の係合部分（係合部２３ａ、２３ｂ）が該支持部分（切り欠き部分６７ａにおいて露出したパイプ６５ａと、切り欠き部分６７ｂにおいて露出したパイプ６５ｂ）に係合しシート６１に張力を与える係合部分である、支持具である。
なお、ここでは係合部分が、係合部２３ａ、２３ｂの、シート６１に張力を与える係合部分のみであるが、無論これに制限されるものではなく、シート６１に張力を与えない係合部分を含んでもよく、さらに、シート６１に張力を与える係合部分も係合部２３ａ、２３ｂの２個である必要はなく、３、４、５、６・・・個のようにより多くのものを有してもよい。
【００２６】
また、本支持具１１においては、たわみ部材たるたわみ部２１が、板状の部材によって形成されている。
そして、シート６１に張力を与える係合部分たる係合部２３ａ、２３ｂが係合する前記支持部分（切り欠き部分６７ａにおいて露出したパイプ６５ａと、切り欠き部分６７ｂにおいて露出したパイプ６５ｂ）が、シート６１の一縁近傍と他縁近傍とに形成されている（なお、ここでは該他縁を該一縁に相対する縁にしている。）。
さらに、ここではシート６１が一対の骨部材たるパイプ６５ａ、６５ｂをさらに有し、（シート６１に）張力を与える係合部分たる係合部２３ａ、２３ｂが係合する前記支持部分（切り欠き部分６７ａにおいて露出したパイプ６５ａと、切り欠き部分６７ｂにおいて露出したパイプ６５ｂ）が、該骨部材たるパイプ６５ａ、６５ｂに設けられている。
【００２７】
また、本支持具１１においては、前記支持部分（切り欠き部分６７ａにおいて露出したパイプ６５ａと、切り欠き部分６７ｂにおいて露出したパイプ６５ｂ）に係合した前記張力を与える係合部分たる係合部２３ａ、２３ｂが、（シート６１に）前記張力を与える係合部分（係合部２３ａ、２３ｂ）同士間の距離を縮めるように前記たわみ部材たるたわみ部２１をたわめることで前記支持部分（切り欠き部分６７ａにおいて露出したパイプ６５ａと、切り欠き部分６７ｂにおいて露出したパイプ６５ｂ）の係合を解くことができる。
そして、本支持具１１においては、前記支持手段（ここでは取付ボルト５１、５３と受け具３１とベース板４１とによって構成されている。）が、前記被取付物が有する載置面（前述のように、ここでは建物の床面）に載置されることで前記たわみ部材たるたわみ部２１を支持している。
【００２８】
また、図８に示す本支持具１３のように、本支持具１１のベース板４１に代えて、磁石ベース７１を用いるようにしてもよい。磁石ベース７１は、略直方体状の箱体内部に強力な磁石を収容してなるものであり、該箱体の下面に存する鋼材等を強力に吸着する。なお、該箱体の上面には、ベース板４１の上面と同様、嵌入隙間が形成されており、嵌入隙間に嵌入部３１ｃが貫入されることで磁石ベース７１と受け具３１とがしっかり組み付けられている。
かかる磁石ベース７１を用いることで、被取付物が磁石に吸着される部分を有すれば（例えば、被取付物が鋼製のテーブルである場合）、磁石の吸着力により本支持具を被取付物に対して確実に支持させることができると共に、本支持具の被取付物への脱着を迅速かつ容易に行うことができる。
なお、図８に示した本支持具１３は、本支持具１１と比較すると、支持手段が取付ボルト５１、５３と受け具３１と磁石ベース７１とによって構成される点が異なるが、それ以外の部分は本支持具１１と同様である（本支持具１１の構成要素と同じ要素には同じ参照番号を付している。）。即ち、本支持具１３は、被取付物が磁石に吸着される部分を有し、支持手段が、該吸着される部分に吸着する磁石を有するものである。
さらに、ここでは図示していないが、前記支持手段が、被取付物が有する面に吸着する吸盤を有するようにしてもよい。
【００２９】
加えて、本支持具１１においては、一対のボルト穴２５ｃ、２５ｄを有しているので、このボルト穴２５ｃ、２５ｄを用いて支持手段をたわみ部材たるたわみ部２１に固定することもできる。
図９は、ボルト穴２５ｃ、２５ｄを用いて受け具８１をたわみ部材たるたわみ部２１に固定するところを示す分解図である。また、ボルト穴２５ｃ、２５ｄを用いて受け具８１をたわみ部２１に固定し受け具８１に磁石ベース７１を取り付けた後の本支持具１５に、シート６１を支持させた状態を図１０に示した。図９及び図１０を参照して本支持具１５について説明する。
受け具８１は、受け具３１と同様、帯状の薄い鋼板を２カ所折り曲げて一体に形成されており、たわみ部２１に沿って取付られる基端部８１ａと、磁石ベース７１に形成される嵌入隙間に貫入される先細り形状の嵌入部８１ｃと、基端部８１ａと嵌入部８１ｃとを連結する連結部８１ｂと、を有している（特に図９を参照されたい。）。
基端部８１ａは、取付ボルト５１、５３の軸部外面に形成された雄ねじ部分と螺合する雌ねじが内周に螺刻されたボルト嵌入孔８３ａ、８３ｂが穿設されている（特に図９を参照されたい。）。受け具８１をたわみ部２１に所定の位置関係（図１０に示す位置関係）にて取り付けた際、ボルト嵌入孔８３ａ、８３ｂはボルト穴２５ｃ、２５ｄに対応する位置に形成されており、取付ボルト５１をボルト穴２５ｃに貫入しボルト嵌入孔８３ａと螺合させ締め付け、さらに取付ボルト５３をボルト穴２５ｄに貫入しボルト嵌入孔８３ｂと螺合させ締め付けることで、たわみ部２１と受け具８１とを固定している。
また、受け具８１は、磁石ベース７１の嵌入隙間に嵌入部８１ｃを貫入した際（無論、磁石ベース７１に収容されている磁石を、被取付物が有する磁石に吸着される部分に吸着させた際）に、たわみ部２１が所定の位置（高さや角度）に支持されるよう大きさや形状が決定されている。
このように図１０に示した本支持具１５は、本支持具１１と比較すると、支持手段が取付ボルト５１、５３と受け具８１と磁石ベース７１とによって構成される点が異なるが、それ以外の部分は本支持具１１と同様である（本支持具１１の構成要素と同じ要素には同じ参照番号を付している。）。即ち、本支持具１５は、被取付物が磁石に吸着される部分を有し、支持手段が、該吸着される部分に吸着する磁石を有するものである。
そして、図８と図１０とに示されているように、本支持具１１、１３、１５は、支持手段が、たわみ部材たるたわみ部２１に対して少なくとも２以上（ここでは２）の異なる位置に固定可能になっている。
【図面の簡単な説明】
【図１】一実施形態の本発明の支持具（本支持具）１１を示す斜視図である。
【図２】図１中の矢印Ａ方向からたわみ部を見たところ（図２（ａ））と、図１中の矢印Ｂ方向からたわみ部２１を見たところ（図２（ｂ））とを示した図である。
【図３】たわみ部と受け具と取付ボルトとの組み付け状態を示す分解図である。
【図４】ベース板を示す斜視図である。
【図５】本支持具１１の使用状態を示す斜視図である。
【図６】シートの一端部分の拡大図である。
【図７】図６のＤ−Ｄ断面図である。
【図８】本支持具１１のベース板４１に代えて、磁石ベース７１を用いた場合の本支持具１３を示す斜視図である。
【図９】他のボルト穴２５ｃ、２５ｄを用いて受け具をたわみ部材たるたわみ部に固定するところを示す分解図である。
【図１０】他のボルト穴２５ｃ、２５ｄを用いて受け具をたわみ部２１に固定し、受け具に磁石ベース７１を取り付けた後の本支持具１５に、シートを支持させた状態を示す斜視図である。
【符号の説明】
１１、１３、１５  本支持具
２１            たわみ部
２１ａ          一端
２１ｂ          他端
２３ａ、２３ｂ  係合部
２５ａ、２５ｂ、２５ｃ、２５ｄ  ボルト穴
３１            受け具
３１ａ          基端部
３１ｂ          連結部
３１ｃ          嵌入部
３３ａ、３３ｂ  ボルト嵌入孔
４１            ベース板
４１ａ          鋼板
４１ｂ          みぞ形鋼
４３            嵌入隙間
５１、５３      取付ボルト
５１ａ、５３ａ  ボルト頭
６１            シート
６３            シート本体
６５ａ、６５ｂ  パイプ
６７ａ、６７ｂ  切り欠き部分
７１            磁石ベース
８１            受け具
８１ａ          基端部
８１ｂ          連結部
８１ｃ          嵌入部
８３ａ、８３ｂ  ボルト嵌入孔
【図１】
2004198756.tif 000003
【図２】
2004198756.tif 000004
【図３】
2004198756.tif 000005
【図４】
2004198756.tif 000006
【図５】
2004198756.tif 000007
【図６】
2004198756.tif 000008
【図７】
2004198756.tif 000009
【図８】
2004198756.tif 000010
【図９】
2004198756.tif 000011
【図１０】
2004198756.tif 000012